(57)【要約】  小花にボリューム感があり、観賞価値の高い八重咲又は半八重咲のペンタス植物の作出を目的として、単因子不完全優性遺伝をする八重咲遺伝子を有するペンタス植物、その育成方法、及びペンタス品種に八重咲又は半八重咲の表現型を付与する方法を提供する。【特許請求の範囲】
【請求項１】
八重咲遺伝子を有することを特徴とするペンタス植物。
【請求項２】
八重咲遺伝子が、単因子不完全優性遺伝子であることを特徴とする請求項１に記載のペンタス植物。
【請求項３】
八重咲遺伝子が、受託番号FERM BP-22361で特定されるペンタスが持つ遺伝子であることを特徴とする請求項１又は２に記載のペンタス植物。
【請求項４】
八重咲遺伝子をホモで有することを特徴とする請求項１乃至３のいずれか一項に記載のペンタス植物。
【請求項５】
八重咲の表現型を示すことを特徴とする請求項４に記載のペンタス植物。
【請求項６】
八重咲遺伝子をヘテロで有することを特徴とする請求項１乃至３のいずれか一項に記載のペンタス植物。
【請求項７】
半八重咲の表現型を示すことを特徴とする請求項６に記載のペンタス植物。
【請求項８】
実生系である請求項１乃至７のいずれか一項に記載のペンタス植物。
【請求項９】
栄養系である請求項１乃至７のいずれか一項に記載のペンタス植物。
【請求項１０】
請求項１乃至９のいずれか一項に記載のペンタス植物の植物体又は植物体の一部。
【請求項１１】
ペンタス植物の植物体の一部が、葉、花粉、胚、子葉、胚軸、分裂組織細胞、胚珠、種子、細胞、根、根端、雌蕊、雄蕊の葯、花、又は茎であることを特徴とする請求項１０に記載のペンタス植物の植物体又は植物体の一部。
【請求項１２】
以下の工程（１）及び（２）を含むことを特徴とする八重咲遺伝子を有するペンタス植物の育成方法、
（１）請求項１乃至９のいずれか一項に記載のペンタス植物を、任意のペンタス植物と人工交配する工程、
（２）工程（１）の人工交配で得られたペンタス植物の中から、八重咲遺伝子を有するペンタス植物を選抜する工程。
【請求項１３】
以下の工程（１）〜（４）を含み、工程（３）及び（４）を複数回行うことを特徴とするペンタス品種に八重咲又は半八重咲の表現型を付与する方法、
（１）請求項１乃至９のいずれか一項に記載のペンタス植物を、八重咲又は半八重咲の表現型を付与しようとするペンタス品種と人工交配する工程、
（２）工程（１）の人工交配で得られたペンタス植物の中から、八重咲遺伝子を有するペンタス植物を選抜する工程、
（３）工程（２）又は（４）の選抜で得られたペンタス植物を、工程（１）で使用したペンタス品種と人工交配する工程、
（４）工程（３）の人工交配で得られたペンタス植物の中から、八重咲遺伝子を有するペンタス植物を選抜する工程。
【発明の詳細な説明】
【技術分野】
【０００１】
本発明は、八重咲遺伝子を有するペンタス植物に関する。
【背景技術】
【０００２】
夏場の花壇で咲き続ける園芸種として、ジニア、ビンカ、ポーチュラカ等が知られているが、近年の異常気象等の影響を受け、さらに耐暑性を備えた新たな花の品目が望まれている。【０００３】
ペンタス（Ｐｅｎｔａｓ Ｂｅｎｔｈ.）はアフリカ東部の熱帯地域からアラビア半島南部地域に自生するアカネ科（Ｒｕｂｉａｃｅａｅ）の高温性の植物で、1842年に欧州にもたらされ栽培種（Ｐｅｎｔａｓ  ｌａｎｃｅｏｌａｔａ）が育成されたと記録があり、挿し木または種子で繁殖する。ペンタスの花は頂生で、20〜60くらいの小花が直径6〜10cmほどの散房花序につく。15〜25程度の小花が同時に開花し、半球状の花房を形成する。小花は、学名の由来どおりに明確な5裂の星型の合弁花であり、直径1.5cm前後で、長さは2〜3cmの筒状形状を基本としている。花色としては、赤色、ピンク色、白色、ラベンダー色などが知られ、花型としては、品種登録の審査基準上、一重（single）、八重（double）に分類されており（非特許文献１）、その八重の区分で実際に品種登録されているものは半八重品種である（非特許文献２、非特許文献３）。
【先行技術文献】
【特許文献】
【０００４】
【特許文献１】国際公開2017/048547
【非特許文献】
【０００５】
【非特許文献１】農林水産省品種登録ホームページ、審査基準、ペンタス、<URL: http://www.hinshu2.maff.go.jp/info/sinsakijun/kijun/1464.pdf>
【非特許文献２】農林水産省品種登録ホームページ、登録品種データベース、「ライカ  ディープピンク」、登録番号22999、<URL: http://www.hinshu2.maff.go.jp/vips/cmm/apCMM112.aspx?TOUROKU_NO=22999&LANGUAGE=Japanese>
【非特許文献３】農林水産省品種登録ホームページ、登録品種データベース、「プリンセス  エミ」、登録番号10100、<URL: http://www.hinshu2.maff.go.jp/vips/cmm/apCMM112.aspx?TOUROKU_NO=10100&LANGUAGE=Japanese>
【発明の概要】
【発明が解決しようとする課題】
【０００６】
従来から、ペンタスの花型は、一重（single）、半八重（semi-double）が知られているものの、近年、依然として、ペンタスのマーケットにおける主要品種は一重であり、半八重品種の普及は進んでいない。【０００７】
これは、従来八重と分類されていた既存品種は、花弁が2枚である二重花であり、実質的には半八重で、品種はいくつかあるものの、本格的に育種利用されることもなかったためで、さらにボリュームが出る八重咲花をもつ品種は見られなかった。【０００８】
一般的に、花型が八重である植物は、それ自体が商品価値の高い品種であるだけでなく、八重性を付与する育種母本としても有用である。特に、八重性が単因子優性遺伝するものであれば、交配により容易に後代にその形質を伝えることができるので、育種母本としての有用性はより一層高いものになる。
【課題を解決するための手段】
【０００９】
本発明者らは、上記課題を解決すべく鋭意検討を行った結果、従来の半八重品種（二重花）が劣性遺伝形質であることを見出し、それとは異なるペンタスの花弁を八重咲（三重以上の花）にする単因子の不完全優性遺伝子を見出し、それを有する八重咲ペンタスを利用し、八重咲ペンタスを育成する方法を見出した。本発明は、これらの知見に基づき完成されたものである。【００１０】
即ち、本発明は以下の〔１〕〜〔１３〕を提供する。
〔１〕八重咲遺伝子を有することを特徴とするペンタス植物。【００１１】
〔２〕八重咲遺伝子が、単因子不完全優性遺伝子であることを特徴とする〔１〕に記載のペンタス植物。【００１２】
〔３〕八重咲遺伝子が、受託番号FERM BP-22361で特定されるペンタスが持つ遺伝子であることを特徴とする〔１〕又は〔２〕に記載のペンタス植物。【００１３】
〔４〕八重咲遺伝子をホモで有することを特徴とする〔１〕乃至〔３〕のいずれかに記載のペンタス植物。【００１４】
〔５〕八重咲の表現型を示すことを特徴とする〔４〕に記載のペンタス植物。【００１５】
〔６〕八重咲遺伝子をヘテロで有することを特徴とする〔１〕乃至〔３〕のいずれかに記載のペンタス植物。【００１６】
〔７〕半八重咲の表現型を示すことを特徴とする〔６〕に記載のペンタス植物。【００１７】
〔８〕実生系である〔１〕乃至〔７〕のいずれかに記載のペンタス植物。【００１８】
〔９〕栄養系である〔１〕乃至〔７〕のいずれかに記載のペンタス植物。【００１９】
〔１０〕〔１〕乃至〔９〕のいずれかに記載のペンタス植物の植物体又は植物体の一部。【００２０】
〔１１〕ペンタス植物の植物体の一部が、葉、花粉、胚、子葉、胚軸、分裂組織細胞、胚珠、種子、細胞、根、根端、雌蕊、雄蕊の葯、花、又は茎であることを特徴とする〔１０〕に記載のペンタス植物の植物体又は植物体の一部。【００２１】
〔１２〕以下の工程（１）及び（２）を含むことを特徴とする八重咲遺伝子を有するペンタス植物の育成方法、
（１）〔１〕乃至〔９〕のいずれかに記載のペンタス植物を、任意のペンタス植物と人工交配する工程、
（２）工程（１）の人工交配で得られたペンタス植物の中から、八重咲遺伝子を有するペンタス植物を選抜する工程。【００２２】
〔１３〕以下の工程（１）〜（４）を含み、工程（３）及び（４）を複数回行うことを特徴とするペンタス品種に八重咲又は半八重咲の表現型を付与する方法、
（１）〔１〕乃至〔９〕のいずれかに記載のペンタス植物を、八重咲又は半八重咲の表現型を付与しようとするペンタス品種と人工交配する工程、
（２）工程（１）の人工交配で得られたペンタス植物の中から、八重咲遺伝子を有するペンタス植物を選抜する工程、
（３）工程（２）又は（４）の選抜で得られたペンタス植物を、工程（１）で使用したペンタス品種と人工交配する工程、
（４）工程（３）の人工交配で得られたペンタス植物の中から、八重咲遺伝子を有するペンタス植物を選抜する工程。
【発明の効果】
【００２３】
本発明により提供される新規な八重咲遺伝子を有するペンタス植物を育種に用いることで、従来なかった新規八重咲遺伝子を有する、花弁のボリュームがあり観賞価値の高いペンタス植物を安定して作出できるようになる。
【図面の簡単な説明】
【００２４】
【図１】本発明のペンタス植物及び市販のペンタス品種の小花の形態を示す写真。上図において左からパニックタワーピンク（市販品種）、ライカローズ（市販品種）、Db1-4（八重咲個体）、Db-3（半八重咲個体）を示し、下図において左からパニックタワーピンク（市販品種）、ライカホワイト（市販品種）、Db1-4（八重咲個体）、Db-3（半八重咲個体）を示す。
【図２】本発明のペンタス植物及び市販のペンタス品種の分解された小花の形態を示す写真。上図において左からパニックタワーピンク（市販品種）、ライカローズ（市販品種）、Db1-4（八重咲個体）、Db-3（半八重咲個体）を示し、下図において左からパニックタワーピンク（市販品種）、ライカホワイト（市販品種）、Db1-4（八重咲個体）、Db-3（半八重咲個体）を示す。
【図３】本発明のペンタス植物及び市販のペンタス品種の花（クラスター）の形態を示す写真。上図において、左からパニックタワーピンク（市販品種）、ライカローズ（市販品種）、Db1-4（八重咲個体）、Db-3（半八重咲個体）、下図において、左からパニックタワーピンク（市販品種）、ライカホワイト（市販品種）、Db1-4（八重咲個体）、Db-3（半八重咲個体）を示す。
【発明を実施するための形態】
【００２５】
以下、本発明を詳細に説明する。
本発明において「ペンタス植物」とは、ペンタス属（Ｐｅｎｔａｓ Ｂｅｎｔｈ.）に属する植物を意味する。
【００２６】
本発明において、ペンタス植物の花は、頂生で20〜60の小花が直径6〜10cmほどの散房花序につく。15〜25程度の小花が同時に開花し、半球状の花房を形成する。なお、本発明における「花」とは、特にことわりのない限り、この半球状の花房全体ではなく、花房を構成する個々の「小花」を意味する。
【００２７】
本発明におけるペンタス植物の小花は、一重の場合、学名の由来どおりに通常5裂一重の合弁花を持ち、明確な5裂の星型をしており、直径1.5cm前後で、長さは2〜3cmの筒状で、長花柱花と短花柱花がある。赤色、ピンク色、白色、ラベンダー色などの花色が知られている。
【００２８】
本発明において「八重」とは、花弁数が3枚以上である状態をいい、フルダブル（full-double）又は完全八重ともいう。なお、ペンタスは合弁花なので、一般的な花（離弁花）における花弁が合着して1枚の筒状の花弁を形成する。従って、「花弁数が3枚以上」とは、この合着した筒状の花弁が3枚以上であることを意味する。
【００２９】
本発明において「八重咲」とは、花弁が八重の状態で開花することをいう。
【００３０】
本発明において「半八重」とは、花弁数が1枚より多く2枚以下である、即ち2枚の状態をいい、セミダブル（semi-double）ともいう。
【００３１】
本発明において「半八重咲」とは、花弁が半八重の状態で開花することをいう。
【００３２】
本発明において「八重咲遺伝子」とは、ペンタスの表現型を八重咲にすることのできる遺伝子を意味する。
【００３３】
本発明において「実生系」とは、有性的に親株の種子を播種して植物を増やす種子繁殖方法によって得られた植物体をいう。
【００３４】
本発明において「栄養系」とは、無性的に親株の植物体の一部を増殖する栄養繁殖方法によって得られた同一の遺伝子型を持つ植物体をいう。
【００３５】
本発明において「人工交配」とは、花粉親と種子親を人為的に交配することを意味し、例えば、花粉親から人為的に花粉を採取し、その花粉を種子親の柱頭に人為的に付着させることをいう。
【００３６】
（Ａ）八重咲遺伝子を有するペンタス植物
本発明のペンタス植物は、八重咲遺伝子を有することを特徴とするものである。
【００３７】
八重咲遺伝子としては、その種子が下記の通り寄託されているペンタスが有する遺伝子（以下、この遺伝子を「寄託された八重咲遺伝子」という場合がある。）を挙げることができる。
寄託機関：独立行政法人製品評価技術基盤機構特許生物寄託センター（千葉県木更津市かずさ鎌足2-5-8  120号室）
受託番号：FERM BP-22361
受託日：2018年3月16日
寄託の種類：国際寄託
【００３８】
この寄託された八重咲遺伝子は、単因子不完全優性遺伝子であり、八重咲遺伝子をホモで有する個体は八重咲の表現型を示し、八重咲遺伝子をヘテロで有する個体は半八重咲の表現型を示す。
【００３９】
本発明のペンタス植物は、八重咲又は半八重咲の形質を持つが、これ以外の形質（例えば、草丈、花冠の大きさ、花冠裂片の形、花色など）は特に限定されない。ペンタスの花色としては、赤色、ピンク色、白色、ラベンダー色などが知られているが、本発明のペンタス植物は、これらの花色のいずれかまたはそれ以外であってもよい。
【００４０】
本発明のペンタス植物には、ペンタス植物の植物体だけでなく、ペンタス植物の植物体の一部も含まれる。植物体の一部としては、器官、組織、細胞、栄養繁殖体、カルスなどを挙げることができる。器官としては、花、葉、茎、根、種子などを挙げることができる。組織及び細胞としては、花、葉、茎、根、種子を構成する組織及び細胞を挙げることができ、具体的には、花粉、胚、子葉、胚軸、分裂組織細胞、胚珠、根端、雌蕊、雄蕊の葯などを挙げることができる。好ましいペンタス植物の植物体の一部としては、葉、花粉、胚、子葉、胚軸、分裂組織細胞、胚珠、種子、細胞、根、根端、雌蕊、雄蕊の葯、花、茎を挙げることができる。
【００４１】
（Ｂ）八重咲遺伝子を有するペンタス植物の育成方法
本発明の八重咲遺伝子を有するペンタス植物の育成方法は、以下の工程（１）及び（２）を含むことを特徴とするものである、
（１）上記の八重咲遺伝子を有するペンタス植物を、任意のペンタス植物と人工交配する工程、
（２）工程（１）の人工交配で得られたペンタス植物の中から、八重咲遺伝子を有するペンタス植物を選抜する工程。
【００４２】
使用する八重咲遺伝子を有するペンタス植物は特に限定されず、八重咲遺伝子をホモで有するものを用いてもよく、八重咲遺伝子をヘテロで有するものを用いてもよい。八重咲遺伝子をホモで有するペンタス植物を用いる場合、人工交配によって得られる個体は理論上すべて八重咲遺伝子を有することになるので、選抜が容易であるという利点がある。一方、八重咲遺伝子をヘテロで有するペンタス植物を用いる場合、人工交配が容易であるという利点がある。八重咲遺伝子をホモで有するペンタス植物は、雄蕊や雌蕊などの生殖器官に異常が見られることが多いが、八重咲遺伝子をヘテロで有するペンタス植物では、多くの場合、そのような異常がない、又は異常が軽度であるからである。
【００４３】
任意のペンタス植物としては、既存のペンタス品種などを用いることができる。また、任意のペンタス植物として、八重咲遺伝子を有するペンタス植物同士を人工交配することも可能である。
【００４４】
人工交配は常法に従って行うことができる。
【００４５】
八重咲遺伝子を有するペンタス植物の選抜も常法に従って行うことができる。寄託された八重咲遺伝子は不完全優性遺伝子なので、この遺伝子が表現型として現れるため、その表現型（八重咲又は半八重咲）に基づき選抜することができる。
【００４６】
（Ｃ）ペンタス品種に八重咲又は半八重咲の表現型を付与する方法
本発明のペンタス品種に八重咲又は半八重咲の表現型を付与する方法は、以下の工程（１）〜（４）を含み、工程（３）及び（４）を複数回行うことを特徴とするものである、
（１）上記の八重咲遺伝子を有するペンタス植物を、八重咲又は半八重咲の表現型を付与しようとするペンタス品種と人工交配する工程、
（２）工程（１）の人工交配で得られたペンタス植物の中から、八重咲遺伝子を有するペンタス植物を選抜する工程、
（３）工程（２）又は（４）の選抜で得られたペンタス植物を、工程（１）で使用したペンタス品種と人工交配する工程、
（４）工程（３）の人工交配で得られたペンタス植物の中から、八重咲遺伝子を有するペンタス植物を選抜する工程。
【００４７】
使用するペンタス品種は特に限定されないが、八重咲又は半八重咲の表現型を付与することにより、商品価値などが高くなるような品種を使用するのが好ましい。
【００４８】
使用する八重咲遺伝子を有するペンタス植物は、上記の「八重咲遺伝子を有するペンタス植物の育成方法」と同様のものを用いることができ、また、人工交配及び選抜も、上記の「八重咲遺伝子を有するペンタス植物の育成方法」と同様に行うことができる。
工程（３）及び（４）の回数は、一般的な連続戻し交配と同様の回数でよく、例えば、２〜８回程度とすることができる。
【実施例】
【００４９】
本発明を実施例により更に詳しく説明する。なお、本発明はこれらの実施例に限定されるものではなく、特許請求の範囲内及び特許請求の範囲と均等の範囲内での全ての内容が含まれる。【００５０】
実施例1（半八重系統の育成）
本実施例では、花弁数の比較的多い八重性を示すペンタス系統と保有系統とを交配させた多数の系統を作出し、それらの中から花弁数が三重以上の八重性を示す個体を選抜し、その後代について、八重性の調査を行った。【００５１】
2004年に兵庫県神戸市西区伊川谷町の花壇苗生産者において、ペンタスの一重市販品種「ニュールックローズ」の中から、花弁数が二重（半八重）になっている個体が見つかり、個体04K0-1と命名した。この個体04K0-1と花色の異なる5つの市販品種とを表１のように交配したところ、2007年までに5系統のF1種子を得ることができ、系統Db群と命名した。2007年12月に、得られたF1種子を播種したところ、それぞれの後代で半八重性を示す個体が確認され、その個体を選抜し、系統名をそれぞれDb-1、Db-2、Db-3、Db-4、Db-5と命名し、F2種子を採種した。【００５２】
実施例２（八重に関する本発明系統の育成および従来形質との比較）
次にDb群5系統のF2種子を播種したところ、それぞれの集団から花弁数の比較的多い八重性を示す個体が出現したため、2011年までに10個体を選び、それぞれDb-1a、Db-2a、Db-3a、Db-3b、Db-3c、Db-4a、Db-4b、Db-5a、Db-5b、Db-5cと命名し、栄養系株として保存した（表１）。
【表１】
2019220586.tif 000002
【００５３】
2012年、この選抜した八重個体と保有一重系統、即ち赤花色を有するSg-1、ピンク花色を有するSg-2、白花色を有するSg-3とを用いて表2に示すように交配を行い、すべての組合せにおいて後代種子を得ることができ、系統Db1群と命名した。また同時に既存八重品種（ライカ系）と一重系統との交配も行い、3組合せにおいて後代種子を得ることができた。その結果、表2に示すとおり選抜した八重個体の10個体中3個体、即ちDb-2a、Db-3a、Db-5aの後代において調査個体がすべて半八重となり、残り7個体の後代では一重と半八重が分離した。一方、ライカ系と一重系統Sg-1、Sg-3との交配後代は、調査可能であった3組合せの調査個体がすべて一重となった。
【表２】
2019220586.tif 000003
【００５４】
このことから、個体04K0-1に由来する八重咲の形質は優性であることが示唆され、後代がすべて八重となった3個体Db-2a、Db-3a、Db-5aは八重咲遺伝子をホモに、残り7個体はヘテロに有していたと考えられた。一方、ライカ系の半八重咲の形質は劣性であることが示唆され、個体04K0-1に由来する遺伝子は既知のライカ系遺伝子とは異なる新規な八重咲遺伝子であると示唆された。【００５５】
実施例３（八重に関する本発明系統の遺伝様式）
2015年から2016年にかけて、系統Db1群のうち、半八重の形質を示すDb1-17およびDb1-5の個体同士を交配し種子を得た。2017年に得られた後代種子を播種したところ、八重（三重）以上、半八重（二重）、一重の個体数が以下の表3のように分離し、ほぼ1：2：1の割合を示した。
【表３】
2019220586.tif 000004
【００５６】
この結果から、新規に発見された八重咲遺伝子は単因子の不完全優性の特徴をもち、ホモに持つことで完全八重、即ち花弁数が三重以上の八重（フルダブル）となり、ヘテロで持つことにより半八重、即ち二重（セミダブル）となることが示唆された。【００５７】
実施例４（本発明形質を用いた複数花色系統の作出）
2007年から育成した系統Db群は、花色幅がローズから淡ピンクを示していた（表1）。2012年から作出した系統Db1群のうち、赤花色を有するSg-1に由来するDb1-5、Db1-8、Db1-17において、後代において赤花色とそれ以外の花色を有する半八重咲個体と一重咲個体との分離が見られ、また白花色を有するSg-3に由来するDb1-3、Db1-14、Db1-15において、白花色〜淡ピンクの花色を有する半八重咲と一重咲個体との分離が見られた（表2）。このことから、新規に発見された八重咲遺伝子は花色とは独立して遺伝する形質であり、この遺伝子を用いることにより、赤、ローズ、ピンク、白といった、あらゆる花色を持つ完全八重咲、また半八重咲個体の作出が可能であると考えられる。【００５８】
従来存在した劣性遺伝子を用いた場合には、半八重形質の作出しかできず、その育成には、その遺伝子をホモに有する選抜が必要となる。そのため、組合せ系統の幅は広がりにくく、長期間にわたり多くの労力が必要となる。しかし、本発明による新規の不完全優性遺伝子を用いることによって、八重咲形質を効率的に作出することができる。さらに、その遺伝子をヘテロに有することで、半八重形質をもつ幅広い組み合わせのF1品種を短期間で効率的に作出することが可能になると期待される。【００５９】
実施例５（本発明形質を用いた栄養系品種の育成）
2015年、系統Db1群のうち、系統Db1-3、Db1-4、Db1-5、Db1-6、Db1-7、Db1-8、Db1-16、Db1-17のそれぞれの半八重咲個体の自殖種子を採種し、F2世代を播種したところ、花色について図2に示すような色幅を持ち、花型が一重、半八重、八重となるさまざまな個体の分離が見られた。そこで、花型が完全な八重咲の形質を有し、株張りや開花習性の良い株を合計12個体選び、栄養系株として保存した。2017年、保存した個体を挿し木によって繁殖したところ、一般的なペンタスと同様に発根、生育し、挿し木苗を得ることができた。得られた挿し木苗は10.5cmポットに鉢上げし、分枝性や節間の伸長度、開花習性といった点で評価を行い、その後露地に定植し、生育調査を行った。その結果、濃いピンクおよび白の花色を有する2個体が、ポットおよび露地において特に優れた開花習性を示したため、これらの個体について、品種育成を完了することとした。これにより、完全八重咲の花型を有する初の栄養系ペンタス品種を育成することができた。【００６０】
本明細書で引用した全ての刊行物、特許及び特許出願をそのまま参考として本明細書にとり入れるものとする。
【産業上の利用可能性】
【００６１】
本発明のペンタス植物は、小花にボリューム感があり、観賞価値が高い。また、八重性という形質は、単因子不完全優性遺伝をし、容易に後代に伝えることができるので、本発明のペンタス植物は育種母本としても有用である。このため、本発明のペンタス植物は、種苗産業を初めとした様々な園芸関係産業分野において利用可能である。
【図１】
2019220586.tif 000005
【図２】
2019220586.tif 000006
【図３】
2019220586.tif 000007
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
八重咲遺伝子であって、花弁の数を３枚以上にする遺伝子を有することを特徴とするペンタス植物。
【請求項２】
八重咲遺伝子が、単因子不完全優性遺伝子であることを特徴とする請求項１に記載のペンタス植物。
【請求項３】
八重咲遺伝子が、受託番号  ＦＥＲＭ  ＢＰ−２２３６１で特定されるペンタスが持つ遺伝子であることを特徴とする請求項１又は２に記載のペンタス植物。
【請求項４】
八重咲遺伝子をホモで有することを特徴とする請求項１乃至３のいずれか一項に記載のペンタス植物。
【請求項５】
八重咲の表現型を示すことを特徴とする請求項４に記載のペンタス植物。
【請求項６】
八重咲遺伝子をヘテロで有することを特徴とする請求項１乃至３のいずれか一項に記載のペンタス植物。
【請求項７】
半八重咲の表現型を示すことを特徴とする請求項６に記載のペンタス植物。
【請求項８】
実生系である請求項１乃至７のいずれか一項に記載のペンタス植物。
【請求項９】
栄養系である請求項１乃至７のいずれか一項に記載のペンタス植物。
【請求項１０】
請求項１乃至９のいずれか一項に記載のペンタス植物の植物体又は植物体の一部。
【請求項１１】
ペンタス植物の植物体の一部が、葉、花粉、胚、子葉、胚軸、分裂組織細胞、胚珠、種子、細胞、根、根端、雌蕊、雄蕊の葯、花、又は茎であることを特徴とする請求項１０に記載のペンタス植物の植物体又は植物体の一部。
【請求項１２】
以下の工程（１）及び（２）を含むことを特徴とする八重咲遺伝子を有するペンタス植物の育成方法、
（１）請求項１乃至９のいずれか一項に記載のペンタス植物を、任意のペンタス植物と人工交配する工程、
（２）工程（１）の人工交配で得られたペンタス植物の中から、八重咲遺伝子を有するペンタス植物を選抜する工程。
【請求項１３】
以下の工程（１）〜（４）を含み、工程（３）及び（４）を複数回行うことを特徴とするペンタス品種に八重咲又は半八重咲の表現型を付与する方法、
（１）請求項１乃至９のいずれか一項に記載のペンタス植物を、八重咲又は半八重咲の表現型を付与しようとするペンタス品種と人工交配する工程、
（２）工程（１）の人工交配で得られたペンタス植物の中から、八重咲遺伝子を有するペンタス植物を選抜する工程、
（３）工程（２）又は（４）の選抜で得られたペンタス植物を、工程（１）で使用したペンタス品種と人工交配する工程、
（４）工程（３）の人工交配で得られたペンタス植物の中から、八重咲遺伝子を有するペンタス植物を選抜する工程。
【国際調査報告】
2019220586.tif 000008
2019220586.tif 000009
2019220586.tif 000010
2019220586.tif 000011